(57)【要約】【課題】  洋傘の盗難を防止を図ると共に他人の傘を誤って使用してしまう事を防止するためのものであり、傘の使用を不能とするロック機構を有すると共に簡便に施錠及び解錠のできる洋傘の提供を課題とする。【解決手段】  洋傘の柄と傘軸との連接部分の可動する玉受にダイヤルロックを配設し、洋傘の玉受で露先を覆った状態で該ダイヤルロックにより該玉受を係止してロックし施錠可能とした洋傘の玉受によって解決できる。【選択図】    図１
0003103971.tif 000002
【実用新案登録請求の範囲】
【請求項１】
洋傘の柄１と傘軸との連接部分の可動する玉受３にダイヤルロック３５を配設し、洋傘の玉受３で露先４を覆った状態で該ダイヤルロック３５により該玉受３を係止してロックし施錠可能としたことを特徴とする洋傘の玉受。
【考案の詳細な説明】
【技術分野】
【０００１】
本考案は洋傘の玉受にダイヤルロックを有し、親骨の先端の露先を洋傘の玉受で覆った状態で玉受のロック可能として露先を玉受内に維持したままで傘を開くことを防止すると共に、玉受のロックを解除することにより玉受が露先から外れ、傘の開披を可能とする洋傘の玉受に関する。
【背景技術】
【０００２】
従来より、親骨の先端の露先には傘布を係止するための孔と共にその露先の先端部は円筒形のものや玉部を構成しているもの等があり、この露先の部分を傘の柄に設けた玉受で覆うことにより傘の開披を防止し、更に玉受をずらすことによって露先の部分を表出させることにより傘の開披を可能とするものである。
従って、従来より傘の柄と傘軸との連接部分にこの玉受を配設し、更にこれらの軸心と平行方向に可動可能として露先の先端部分を覆い、或いは露先の先端部分から外すことを可能とすることにより、傘の開閉を制御しているものである。  以上の様に、この玉受部分に付いては、不用意に傘が開いてしまうことを防止すると共に露先を規則正しくしまい込み傘布を綺麗に折り畳むことを可能とする役割を有していた。
更に傘を開く際にはこの玉受部分を移動させて露先を表出させることにより、親骨を開披可能な状態においた上で、傘を開くことができるものである。
従って、従来よりこの玉受部分はこれらのために設けられており、誰でもが玉受部分の移動を可能としているものである。
【考案の開示】
【考案が解決しようとする課題】
【０００３】
これに対して、外出時に雨が降っている外部から例えば店内等の屋根のある場所に入る際には入り口の傘立てなどに無造作に傘をおいておくことが多々あり、室内で用事を終え外部に出る際に自分の傘と他人の傘とを取り間違ってしまい、誤って他人の傘を持ち帰ってしまうことがある。
更に、例えば不特定人が出入りする場所においては、入り口等の傘立てに無造作におかれた傘を他人が持っていってしまうこともあり得る。
これに対して、盗難防止のためのロック機構を有する傘立ても存在するが、大多数の場所においては、この様な費用の掛かる傘立てを用意していないものであり、単に傘を立て掛けておける傘立てのみを有しているものである。
従って、何等かの方法で他人の傘の誤使用や盗難を防止することが必要であり、簡単にこの様な弊害を簡単に防止できる機構或いは装置等が望まれていた。
【課題を解決するための手段】
【０００４】
本考案は上記課題を解決するものであり、簡単に傘の誤使用や盗難を防止すると共に、その取扱も簡単にでき、更には低廉に製造できる洋傘の機構即ち洋傘の玉受の提供を行うものである。
係るため請求項１に記載の考案は洋傘の柄と傘軸との連接部分の可動する玉受にダイヤルロックを配設し、洋傘の玉受で露先を覆った状態で該ダイヤルロックにより該玉受を係止してロックし施錠可能とした洋傘の玉受であり、係る考案によって前記課題を解決できる。
【考案の効果】
【０００５】
この様に構成したことにより、傘の玉受で露先を覆った状態で該ダイヤルロックによりロック可能とし、ロック解除ができない第三者は露先が開かない事から他人の傘と自分の傘とを取り違える事がないばかりでなく、盗難等の防止が図れるという第一の効果を有する。
更にロックすることにより、不用意に傘が開いてしまうことをも防止できるという第二の効果を有する。
これらのように傘の玉受で露先を覆った状態でロックした場合であっても、ダイヤルロックの番号を合せることにより簡単に玉受から露先を露出でき、傘を開くことができる。
更に玉受けにダイヤルロックを設ければたりることから、簡単にかつ低廉に製造できるという第三の効果を有する。
【考案を実施するための最良の形態】
【０００６】
次に本考案の最良の一形態の例を図１に示す。
図１は本考案に係る洋傘の玉受を用いた一例を示す図であり、本図に示す通り玉受３には親骨の先端の露先４が被さっておらず、露先４が広がった状態である。
この状態においては、傘を開披できることとなる。
更に、この様な状態から玉受３を傘１の柄の軸心に平行に下部に押し下げることができ、この様にする際に各露先４を玉受３の内部方向に位置することによって各露先４が玉受３の鍔部３１内に嵌入し、各露先３を玉受４で覆うことが可能となる。
図２は、各露先４が玉受３の鍔部３１内に嵌入した状態を示す図である。
この状態において通常は傘布２を束ねてばたつきを防ぎ保管することとなるが、更に傘布２を開披する場合には玉受３を上部方向に移動させることにより、再度露先４が表出し、傘布２を開披できることとなる。
【０００７】
本考案においては玉受３にダイヤルロック３５を有しており、このダイヤルロック３５のダイヤル３２を回転することによりロック機構が働き、玉受３を上部方向に押し上げる事ができなくなる。
この場合、このダイヤルロック３５は一般的に使用されているダイヤルロックを指し、ダイヤルを回転することにより、ロック機構が働き、施錠状態となってその動きを行えない状態とし、更に予め定めたロック解除のために必要なダイヤルの数値合わせを行うことにより、初めてロック機構が解除され解錠状態となって所定の作動を可能とするものである。
従って、このダイヤルロック３５によって玉受３を下げた状態即ち露先４を覆った状態でロック可能とし、更に予め定めたダイヤル３２を回し又は合わせることによりロック状態を解除して玉受３を上げて露先４を表出することができる。
【０００８】
以上の様に、玉受３で露先４を覆った状態でダイヤルロック３５によって玉受３の移動をできなくすることにより、ロック状態解除のために予め定めたダイヤル３２の数値合わせができなければ露先４を玉受３から表出することができないものであり、解除ダイヤル番号を知っている本人以外の者は傘を開披することはできない。
従って、雨の日などにその現場で使用する傘を他人の傘と間違えた場合には、解除ダイヤル番号が異なることからロック状態の玉受３を移動することができず、傘は開披できないので他人の傘であることが瞬時に判明するものとなり、傘の取り間違いをなくすことができる。
更に盗難に際しても、解除ダイヤル番号を知らない第三者はロック状態の玉受３を移動することができないことから傘を開披することができず、雨などの場合の盗難に際してはもはや使用できないものであり、盗難自体を防ぐことができる。
【０００９】
本図に示すダイヤルロック３５は一連のダイヤルベゼル部３２を有するダイヤルロックであり、左右方向に回転させて複数の数値を合わせる解除ダイヤル番号を用いることによってロック状態を解除できるダイヤルロック３５を示すが、この他複数連のダイヤルベゼル部を有し、それぞれの各ベゼル部の数値を合わせることにより解除ダイヤル番号となして、ロック状態を解除できるダイヤルロック３５を用いるものであってもよい。
図３は、図１及び図２に示すダイヤルロック３５を有する玉受３の拡大図であり、傘の柄１に嵌入して傘の柄１と連結するための連接部を有する玉受軸３０と、傘の柄１との連接部を覆う飾り筒部３３と、ダイヤル部３２と、その鍔部内周内に露先４を嵌入して覆うことが可能な玉受鍔部３１を有する。
従って、玉受軸３０の軸心に平行に飾り筒部３３とダイヤル部３２と玉受鍔部３１が可動可能であって、飾り筒部３３とダイヤル部３２と玉受鍔部３１が柄と１の連接方向から離れた方向に位置した状態でダイヤルを回転することによりダイヤルロック３５のロック機構が働き、その状態でロック即ち施錠状態となって動かなくなり、露先４部分を玉受鍔部３１で覆った状態を維持することとなる。
【００１０】
更にダイヤルロック３５のダイヤルを所定の解除ダイヤル番号に合わせることにより解錠しロック状態が解除されて飾り筒部３３とダイヤル部３２と玉受鍔部３１が柄方向に移動可能となる。
例えば本図に示すようにダイヤルを回転して複数の数値を順次ダイヤル位置合わせ矢印３４に合わせる解除ダイヤル番号を回すことにより解錠しロック状態が解除される。
図４は、図３の断面図を示す図であって、飾り筒部とダイヤル部と玉受鍔部が柄との連接方向に押し上げた状態を示す図である。
例えば本図においては玉受軸部３０にはロック部３０１を有し、この玉受軸部３０に沿って飾り筒部３３とダイヤル部３２と玉受鍔部３１が移動するものである。
【００１１】
この場合、内ダイヤル部３２１が移動し、内ダイヤル部３２１の突出部３２２が玉受軸部３０のロック部３０１には係止されないことから、飾り筒部３３とダイヤル部３２と玉受鍔部３１は、玉受軸３０に沿って可動可能である。
この場合、本図に示す様にダイヤルを回転することにより内ダイヤル部３２１が回転しロック部３０１に係止される構造のものであってももちろんよいと共に、飾り筒部３３とダイヤル部３２と玉受鍔部３１が柄１との連接方向に押し上げた状態ではダイヤルが回らない構造のものであっても、或いはこの状態では何等ロックがかからない状態であるものであってもよい。
本図に示すダイヤルロック機構は一例であり、本図の構成に限定されるものではない。
尚、ダイヤルの回転に際してクリック感を出すためにクリックばね３２３を有している。
【００１２】
図５は、図４に示す状態から飾り筒部３３とダイヤル部３２と玉受鍔部３１が傘軸方向即ち露先４を覆うように押し下げた状態を示す図であって、ダイヤルを回転させることによって、内ダイヤル部３２１の突出部３２２が玉受軸３０から突出しているロック部３０１に係止した状態を示す図である。
従って、内ダイヤル部３２１の突出部３２２がロック部３０１に挟まれることにより、ダイヤル部３２に連接している玉受鍔部３１はロック状態となる。
以上の様に構成することによって、玉受３にダイヤルロック３５を有することができ、更にはこのダイヤルロックによって、露先４を玉受３で覆った状態でロックすることができ、解除ダイヤルを知らない第三者は傘を開くを行う事ができない構成にすることが可能となる。
【図面の簡単な説明】
【００１３】
【図１】本考案に係る洋傘の玉受を用いた洋傘の一例を示す図
【図２】本考案に係る洋傘の玉受を用いた洋傘の一例を示す図
【図３】本考案に係る洋傘の玉受の一例を示す図
【図４】図３に示す本考案に係る洋傘の玉受の断面図
【図５】図３に示す本考案に係る洋傘の玉受の断面図
【符号の説明】
【００１４】
１      柄
２      傘布
３      玉受
３０    玉受軸
３０１  ロック部
３１    玉受鍔部
３２    ダイヤル部
３２１  内タイヤル部
３２２  突出部
３２３  クリックばね
３３    飾り筒部
３４    矢印
３５    タイヤルロック
４      露先
【図１】
0003103971.tif 000003
【図２】
0003103971.tif 000004
【図３】
0003103971.tif 000005
【図４】
0003103971.tif 000006
【図５】
0003103971.tif 000007